(57)【要約】【課題】  擬似宝石の脱落や加飾シートの剥離の問題がなく、簡単且つ低コストにて化粧面に宝石を再現させた加飾成形品及びその製造方法を創出することを課題とする。【解決手段】  表面（２Ａ）に陥没形成された陥没凹部（４）及び陥没凹部（４）の周縁を表面（２Ａ）よりも突出形成させた隆起部（５）とからなる複数の凹凸（６）を有する合成樹脂製の基材（２）と、陥没凹部（４）に積層された加飾層（７）と、基材（２）の表面（２Ａ）を覆うクリアコート層（８）と、を有する構成とする。【選択図】  図２
2015027778.tif 000002
【特許請求の範囲】
【請求項１】
表面（２Ａ）に陥没形成された陥没凹部（４）及び前記陥没凹部（４）の周縁を前記表面（２Ａ）よりも突出形成させた隆起部（５）とからなる複数の凹凸（６）を有する合成樹脂製の基材（２）と、前記陥没凹部（４）に積層された加飾層（７）と、前記基材（２）の表面（２Ａ）を覆うクリアコート層（８）と、を有することを特徴とする加飾成形品。
【請求項２】
加飾層（７）が、金属箔又は顔料箔を印刷したものである請求項１記載の加飾成形品。
【請求項３】
陥没凹部（４）の平面形状を多角形状とした請求項１又は２記載の加飾成形品。
【請求項４】
クリアコート層（８）を、透明、着色透明又は半透明の樹脂とした請求項１乃至４のいずれか一項に記載の加飾成形品。
【請求項５】
合成樹脂製の基材（２）の表面（２Ａ）に加飾層（７）を印刷する箔押し工程と、前記基材（２）を加熱しながら前記加飾層（７）を押圧することにより、前記加飾層（７）を有する前記表面（２Ａ）を陥没させた陥没凹部（４）と前記陥没凹部（４）の周縁を前記表面（２Ａ）よりも突出形成させた隆起部（５）とからなる複数の凹凸（６）を形成する空押し工程と、前記基材（２）の表面（２Ａ）をクリアコート層（８）で覆うコーティング工程と、を有することを特徴とする加飾成形品の製造方法。
【請求項６】
合成樹脂製の基材（２）の表面（２Ａ）を加熱しながら部分的に押圧することにより、前記表面（２Ａ）に陥没凹部（４）と前記陥没凹部（４）の周縁を前記表面（２Ａ）よりも突出形成する隆起部（５）とからなる複数の凹凸（６）を形成する空押し工程と、印刷により前記陥没凹部（４）の底面（４ａ）に加飾層（７）を形成する箔押し工程と、前記基材（２）の表面（２Ａ）をクリアコート層（８）で覆うコーティング工程と、を有することを特徴とする加飾成形品の製造方法。
【請求項７】
箔押し工程において、基体フィルム（２１）に加飾層（７）を形成する熱転写箔層（２２）を積層したホットスタンプフィルム（２０）を用いる請求項５又は６記載の加飾成形品の製造方法。
【請求項８】
空押し工程において、陥没凹部（４）の平面形状を多角形状とする請求項５乃至７のいずれか一項に記載の加飾成形品の製造方法。
【請求項９】
コーティング工程が、透明、着色透明又は半透明の樹脂を塗布する工程である請求項５乃至８のいずれか一項に記載の加飾成形品の製造方法。
【発明の詳細な説明】
【技術分野】
【０００１】
本発明は、化粧面に宝石を再現させた加飾成形品及びその製造方法に関する。
【背景技術】
【０００２】
近年、例えばコンパクト容器や携帯電話機などのケース本体の表面にラインストーン（プラスチック製やガラス製からなる擬似宝石）を直接接着し、あるいはライトストーンを固着した加飾シートを貼着し、ケース本体を豪華に飾るデコレーションが流行している（特許文献１参照）。
【先行技術文献】
【特許文献】
【０００３】
【特許文献１】特開２０１０−８９８０３号公報
【発明の概要】
【発明が解決しようとする課題】
【０００４】
上記のようにラインストーン自体やライトストーンを固着した加飾シートを単にケース表面に接着しただけの場合には、ケース本体に落下等の衝撃が加わった場合や経時変化によって接着力の弱まった場合にラインストーンが脱落したり、加飾シートが剥離したりするという問題がある。
【０００５】
またケース表面にラインストーンを接着する作業は、特許文献１に記載のように転写台紙を使用する場合であっても人手による作業を多く含むため、接着するラインストーンの個数が増えるほど作業に時間を要し、製造コストが高騰するという問題もある。
【０００６】
本発明は、上記した従来技術における問題点を解消すべく、擬似宝石の脱落や加飾シートの剥離の問題がなく、簡単且つ低コストにて化粧面に宝石を再現させた加飾成形品及びその製造方法を創出することを課題とする。
【課題を解決するための手段】
【０００７】
上記課題を解決するための手段のうち、第１発明たる加飾成形品の主たる構成は、
表面に陥没形成された陥没凹部及び陥没凹部の周縁を表面よりも突出形成させた隆起部とからなる複数の凹凸を有する合成樹脂製の基材と、陥没凹部に積層された加飾層と、基材の表面を覆うクリアコート層と、を有することを特徴とする、と云うものである。
【０００８】
上記第１発明の主たる構成においては、陥没凹部の底面に加飾層が形成されており、外部からは陥没凹部を埋設するクリアコート層を介して加飾層が視認される構成を達成し得る。これにより、クリアコート層での光の屈折作用や干渉作用など様々な光学的な装飾効果ないしは加飾効果を期待し得る。
【０００９】
また第１発明の他の構成は、上記第１発明に、加飾層が、金属箔又は顔料箔を印刷したものであるとの構成を加えたものである。
【００１０】
上記構成では、加飾部を金属色やその他の様々な彩色を施すことを達成し得る。
【００１１】
また第１発明の他の構成は、請求項１又は２記載の発明に、陥没凹部の平面形状を多角形状としたとの構成を加えたものである。
【００１２】
上記構成では、陥没凹部の平面形状を宝石の形状に近づけることにより、陥没凹部内で複雑な光学作用（屈折作用や干渉作用など）を達成し得る。多角形状としては、例えば正６角形状、正８角形状、正１２角形状などが高級感を出す上で理想的であるが、必ずしもこれらの形状に限られるものではない。
【００１３】
また第１発明の他の構成は、上記いずれかの記載の、クリアコート層を、透明、着色透明又は半透明の樹脂としたとの構成を加えたものである。
【００１４】
上記構成では、下地となる加飾層で反射した光が透明な樹脂を透過して直接的に、または着色された樹脂を透過して、あるいは半透明な樹脂を通しての視認を達成し得る。
【００１５】
また上記課題を解決するための手段のうち、第２発明たる加飾成形品の製造方法の主たる構成は、合成樹脂製の基材の表面に加飾層を印刷する箔押し工程と、基材を加熱しながら加飾層を押圧することにより、加飾層を有する表面を陥没させた陥没凹部と陥没凹部の周縁を表面よりも突出形成させた隆起部とからなる複数の凹凸を形成する空押し工程と、基材の表面をクリアコート層で覆うコーティング工程と、を有することを特徴とする、と云うものである。
【００１６】
第２発明の主たる構成においては、ホットスタンピングを利用した簡単な構成により、基材表面に光の屈折作用あるいは干渉作用による光学的な加飾作用の付与を達成し得る。
【００１７】
或いは、合成樹脂製の基材の表面を加熱しながら部分的に押圧することにより、表面に陥没凹部と陥没凹部の周縁を表面よりも突出形成する隆起部とからなる複数の凹凸を形成する空押し工程と、印刷により陥没凹部の底面に加飾を形成する箔押し工程と、基材の表面をクリアコート層で覆うコーティング工程と、を有することを特徴とする、と云うものである。
【００１８】
上記構成では、先に加熱を伴う空押し工程を行い、その後に箔押し工程を行うようにしたことにより、箔押し工程後の加飾層が直接加熱されることを避けることを達成し得る。
【００１９】
また第２発明の他の構成は、請求項５又は請求項６に記載の、箔押し工程において、基体フィルムに加飾層を形成する熱転写箔層を積層したホットスタンプフィルムを用いるとの構成を加えたものである。
【００２０】
上記構成では、加飾部への彩色を簡単な構成によって達成し得る。
【００２１】
また第２発明の他の構成は、請求項５乃至７のいずれかに記載の、空押し工程において、陥没凹部の平面形状を多角形状とするとの構成を加えたものである。
【００２２】
上記構成では、陥没凹部の平面形状を宝石の形状に近づけることにより、基材上に形成された加飾部における加飾効果をより本物の宝石に近づけることを達成し得る。
【００２３】
また第２発明の他の構成は、請求項５乃至８のいずれか記載の、コーティング工程が、透明、着色透明又は半透明の樹脂を塗布する工程であるとの構成を加えたものである。
【００２４】
上記構成では、下地となる加飾層で反射した光が透明な樹脂を透過しての直接的な視認を、または着色された樹脂を透過して、あるいは半透明な樹脂を通しての視認を達成し得る。
【発明の効果】
【００２５】
本発明は、上記した構成となっているので以下に示すような効果を奏する。
【００２６】
第１発明では、陥没凹部内の加飾層がこれを覆うクリアコート層を通じて視認できるようになるので、光の屈折作用あるいは干渉作用による光学的な加飾効果が高まり、あたかも宝石を付着させたような美麗な加飾性を再現することができる。しかも凹凸が立体感を与えるため、実際に宝石が埋め込まれているような印象を与えることができる。すなわち、従来のラインストーンに代わる装飾効果を得ることができる。
【００２７】
また請求項１記載の発明に、加飾層が、金属箔又は顔料箔を印刷したものであるとの構成を加えたものでは、従来のようにラインストーンが脱落したり、加飾シートが剥離したりするような問題が無くなる。しかも、加飾部が金属色やその他の様々な彩色を施すので、様々な種類の宝石を再現することができる。
【００２８】
また請求項１又は２に記載の発明に、陥没凹部の平面形状を多角形状としたとの構成を加えたものでは、陥没凹部の形状がより宝石の形状に近づくため、実際の宝石の表面で乱反射する光に近い複雑な光学作用を生じさせることが可能となり、より加飾性に優れ高級感のある加飾成形品とすることができる。
【００２９】
また上記いずれかの記載の発明に、クリアコート層を、透明、着色透明又は半透明の樹脂としたとの構成を加えたものでは、下地となる加飾層で反射した光が透明な樹脂を透過して直接的に視認すること、または着色された樹脂を透過して、あるいは半透明な樹脂を通して視認することが可能となるため、光学的な加飾効果を高めることができる。例えば、樹脂の着色自体又はその濃度を様々に変えることにより、透明色に近いダイヤモンド以外に、例えば赤色系のルビー、青色系のサファイヤなど様々な宝石を再現することが可能となる。また加飾部と樹脂とが組み合わさることにより、加飾部による種々の色彩と樹脂による複雑な光学作用との協働した作用になり、加飾効果をさらに高めることが可能となる。
【００３０】
また第２発明では、簡単な構成により、光の屈折作用あるいは干渉作用などによる光学的な加飾効果を高めることを達成し得るため、従来のように人手によらなくとも、あたかも宝石を付着させたような美麗な加飾が施された加飾成形品を低コストで製造することができる。しかも立体的な凹凸の付与により、あたかも本物の宝石が埋め込まれているような印象を与える加飾成形品を製造することができる。
【００３１】
また先に加熱を伴う空押し工程を行い、その後に箔押し工程を行うようにした構成では、箔押し工程後の加飾層が直接加熱されることが無くなるため、加飾部の輝度感を向上させることができる。
【００３２】
また箔押し工程と空押し工程とに分けることにより、これらの工程を一度に行う場合の高温・高圧環境下において起り得る箔焼けなどの箔不良を防止することができる。
【００３３】
また上記第２発明に、箔押し工程において、基体フィルムに加飾層を形成する熱転写箔層を積層したホットスタンプフィルムを用いるとの構成を加えたものでは、加飾部への彩色を簡単な構成によって達成することができるため、低コストかつ効率的に加飾成形品を製造することができる。
【００３４】
また請求項５または６記載の発明に、空押し工程において、陥没凹部の平面形状を多角形状としたとの構成を加えた構成では、実際の宝石の形状に近づくため、実際の宝石の表面で乱反射する光に近い複雑な光学作用を生じさせることが可能となり、より高級感に優れた加飾成形品を製造することができる。
【００３５】
また請求項５又は６記載の発明に、コーティング工程が、透明、着色透明又は半透明の樹脂を塗布する工程であるとの構成を加えたものでは、下地となる加飾層で反射した光が透明な樹脂を透過して直接的に視認すること、または着色された樹脂を透過して、あるいは半透明な樹脂を通しての視認することが可能となり、これにより優れた光学的な加飾効果を発揮する加飾成形品を製造することができる。
【００３６】
例えば、熱転写箔の着色を変えなくとも、樹脂の着色自体又はその濃度を変更することにより、透明色に近いダイヤモンド以外に、例えば赤色系のルビー、青色系のサファイヤなど様々な種類の宝石の再現を可能とする加飾成形品の製造方法を提供できる。
【図面の簡単な説明】
【００３７】
【図１】本発明の加飾成形品の実施の形態として、コンパクト容器の化粧面を示す平面図である。
【図２】図１のＩＩ−ＩＩ線における拡大断面図である。
【図３】本発明の加飾成形品の製造方法の第１実施例として箔押し工程前の準備段階を示す図２同様の断面図である。
【図４】本発明の加飾成形品の製造方法の第１実施例としての箔押し工程を示す断面図である。
【図５】第１実施例における箔押し工程の完了状態を示す断面図である。
【図６】図５の箔押し工程に続く空押し工程を示す断面図である。
【図７】第１実施例における空押し工程の完了状態を示す断面図である。
【図８】本発明の加飾成形品の製造方法の第２実施例としての空押し工程を示す断面図である。
【図９】図８の空押し工程に続く箔押し工程を示す断面図である。
【発明を実施するための形態】
【００３８】
以下、本発明の実施の形態について図面を参照しつつ説明する。
【００３９】
図１に示すコンパクト容器１は合成樹脂材料により形成された平面視長方形状の容器であり、基材２の化粧面（表面）２Ａには図柄模様として王冠状の加飾部３が施されている。
【００４０】
図２は加飾部３の詳細を示しており、図１のＩＩ−ＩＩ線における拡大断面図に相当している。図２に示すように、加飾部３は基材２の表面２Ａに陥没形成された陥没凹部４及びこの陥没凹部４の周縁に表面２Ａに対して突出形成させた隆起部５とからなる凹凸６と、陥没凹部４の底面４ａに積層された加飾層７と、基材２の表面２Ａを全体的に覆うクリアコート層８とを有して構成されている。
【００４１】
加飾層７としては、金箔、銀箔、アルミ箔などからなる様々な金属箔はもとより、白、黒、青、赤など、顔料の塗工膜を主とした顔料箔が使用可能である。例えば、加飾層７としてアルミ箔を使用すると、銀色のメタリック調の光沢（金属光沢）により、個々の加飾部３がダイヤモンドのような美しい輝きを放つようになる。また赤系統の顔料箔はルビーなど、青系統の顔料箔はブルーサファイヤなど、黄色系の顔料箔は琥珀など、加飾部３が各種の宝石を再現する輝きを放つようになる。
【００４２】
クリアコート層８として、例えば透明なＵＶ樹脂（樹脂）８ａを使用すると、加飾層７はこのＵＶ樹脂８ａを透過して外部に現れることになるが、ＵＶ樹脂８ａが光の屈折作用あるいは干渉作用による光学的な加飾効果を高める作用に寄与する。またＵＶ樹脂８ａは、紫外線を照射することによってより短時間で硬化させることができるため、クリアコート層８をより厚くすることができる。
なお、クリアコート層８を形成する他の例としては、塗装後の熱乾燥により硬化するタイプの樹脂、例えばアクリル樹脂などを使用することもできる。
【００４３】
そして、陥没凹部４の平面形状を、例えば６角形状、８角形状、１２角形状など多角形状にしておくと、ＵＶ樹脂８ａ内での光の屈折作用あるいは干渉作用をさらに複雑にすることが可能となり、光学的な加飾効果がさらに高まり、ひいてはより本物の宝石を再現することが可能となる。
【００４４】
また陥没凹部４と隆起部５とによる凹凸６は加飾部３に立体感を与える。このため、コンパクト容器１を視認する者又は触れる者に対し、あたかも化粧面（表面）２Ａに宝石が固着されているかのような印象を感触的な面から与えることができる。
【００４５】
上記構成からなる加飾部３を備えたコンパクト容器（加飾成形品）１の製造方法（第１実施例）について説明する。
【００４６】
なお、以下に説明する加飾成形品の製造方法は、ホットスタンピングを利用したものである。
【００４７】
まず、図３に示す準備段階では、基体フィルム２１に加飾層７を形成する熱転写箔層２２を積層したホットスタンプフィルム２０を用意し、基材２の表面２Ａと版１０との間に配置する。
【００４８】
そして、図４に示すように、ホットスタンプフィルム２０を版１０の凸部１１と表面２Ａとの間に挟み込み、図５に示すように押圧することにより熱転写箔層２２が部分的に表面２Ａに転写（印刷）されて加飾層７が形成される（箔押し工程）。
なお、版１０の凸部１１は宝石に見える部分を形成する陥没凹部４の形状を形付けるものであるため、その表面は６角形状、８角形状、１２角形状などの多角形状であることが好ましい。
【００４９】
次に、加熱した版１０の凸部１１と、例えばＰＥＴ製の薄いフィルムシート２３とを用いて基材２の表面２Ａの加飾層７を部分的に押圧することよる空押し工程を行う。
【００５０】
図６に示すように、この空押し工程では、加熱した凸部１１でフィルムシート２３を介して基材２の表面２Ａの加飾層７を押圧すると、接触部分である凸部１１の先端から加飾層７を介して熱が伝わり、加飾層７下の合成樹脂を軟化させる。そして、凸部１１の先端部分が基材２の表面２Ａに嵌入して陥没凹部４が形成されると共に、その周縁では陥没した領域の樹脂が変形し、陥没凹部４の周囲が突状に盛り上がって隆起部５を形成する。空押し工程ではフィルムシート２３を介して空押しすることにより、凸部１１で直接空押しする場合に比較して陥没凹部４内の加飾層７の仕上がり具合を美しく良好なものとすることができる。
【００５１】
なお、図６に示す例では、版１０の加圧力を調整して、凸部１１の約１／３の長さまで押し込んで、そこで止めるようにしたものであるが、加圧力を調整することより、陥没凹部４及び隆起部５の高さを種々変更することが可能である。これにより、加飾部３の立体感を調整することができる。
【００５２】
そして、図７に示すように、版１０及びフィルムシート２３を取り除くと、基材２の表面２Ａに陥没凹部４とその周囲に隆起部５が形成された凹凸６が形成されことになる。
【００５３】
最後のコーティング工程において、ＵＶ樹脂８ａを塗布し、基材２の表面２Ａの全体をクリアコート層８でコーティングすることにより、図１及び図２に示すようなコンパクト容器１の表面２Ａが完成する。
なお、陥没凹部４を覆うクリアコート層８の表面の例としては、図２に実線にて示すような窪みのない表面以外に、同図に点線にて示すように若干の窪みを持つ表面となることもある。
【００５４】
上記の各工程を経て製造された加飾成形品１の表面２Ａ上には凹凸６がクリアコート層８を介して現出されており、特に陥没凹部４に対応するクリアコート層８の部分は、それを視認する者又は触れる者に対し、あたかも実際に宝石が固着されているかのような印象を与える。
【００５５】
上記の製造工程では、箔押し工程と空押し工程とに分けることにより、これらの工程を一度に行う場合の高温・高圧環境下において起り得る箔焼けなどの箔不良を防止することができる。
【００５６】
なお、箔押し工程と空押し工程とは、同じ版１０を使用して行うこともできるし、異なる版１０を使用して行うこともできる。同じ版１０を使用する場合には、製造コストの高騰を抑えることができる。またホットスタンピングを利用することにより、宝石風の加飾部３を備える加飾成形品１を効率的に量産することが可能となる。
【００５７】
以上、実施例に沿って本発明の構成とその作用効果について説明したが、本発明の実施の形態は上記実施例に限定されるものではない。
【００５８】
例えば、上記実施例では、クリアコート層８として紫外線照射によって硬化するＵＶ樹脂を使用した場合について説明したが、本発明はこれに限られるものではなく、例えばアクリル樹脂を塗装して熱乾燥により硬化させたものであってもよい。
【００５９】
またクリアコート層８を透明な樹脂として説明したが、その他着色透明の樹脂であってもよく、さらには加飾層が見える程度、すなわち光の透過が可能であれば半透明の樹脂を使用することもできる。特に、クリアコート層８として着色透明の樹脂を使用する場合には、着色の濃度を適宜調整することが可能であり、これによっても光学的な加飾効果をさらに高めること、すなわち加飾層７との組み合わせにより様々な種類の宝石を再現することが可能である。
【００６０】
また上記実施例では、箔押し工程の後に空押し工程を行う例を示して説明したが、以下の第２実施例に説明するように、これとは逆に先に空押し工程を行い、その後に箔押し工程を行う構成とすることもできる。
【００６１】
図８に第２実施例として示すように、空押し工程では、加熱した版１０の凸部１１を用いて基材２の表面２Ａを押圧することにより、基材２の表面２Ａ上に、あらかじめ凸部１１の先端部分が表面２Ａに嵌入して形成される陥没凹部４と、この陥没凹部４の周囲が突状に盛り上がって形成される隆起部５とによる凹凸６を形成する。
【００６２】
続く箔押し工程では、図９に示すように、版１０と基材２の表面２Ａとの間に熱転写箔層２２を積層したホットスタンプフィルム２０を挟み込んで押圧することにより、熱転写箔層２２の一部が表面２Ａ上の陥没凹部４の底面４ａに転写（印刷）されて成る加飾層７が形成される。
【００６３】
そして、最後のコーティング工程において、基材２の表面２Ａをクリアコート層８で覆うことにより、上記同様図１及び図２に示すようなコンパクト容器１の表面２Ａが完成する。
【００６４】
この構成では、先に加熱を要する空押し工程を行い、その後の箔押し工程で加飾層７が形成されることになるため、加飾層７が直接加熱されて高温状態に晒されることがない。このため、加飾層７を有する加飾部３全体の輝度感を向上させることができる。
【産業上の利用可能性】
【００６５】
本発明では、表面に宝石を再現した加飾成形品を提供することが可能であり、またホットスタンピングを利用することにより、簡単且つ低コストで量産性に優れた加飾成形品の製造方法を提供することができ、特に高級感に富んだ加飾成形品の分野における用途展開が期待される。
【符号の説明】
【００６６】
１    ：  コンパクト容器（加飾成形品）
２    ：  基材
２Ａ  ：  基材の表面
３    ：  加飾層
４    ：  陥没凹部
５    ：  隆起部
６    ：  凹凸
７    ：  加飾層
８    ：  クリアコート層
８ａ  ：  ＵＶ樹脂（樹脂）
１０  ：  版
１１  ：  凸部
２０  ：  ホットスタンプフィルム
２１  ：  基体フィルム
２２  ：  熱転写箔層
２３  ：  フィルムシート
【図１】
2015027778.tif 000003
【図２】
2015027778.tif 000004
【図３】
2015027778.tif 000005
【図４】
2015027778.tif 000006
【図５】
2015027778.tif 000007
【図６】
2015027778.tif 000008
【図７】
2015027778.tif 000009
【図８】
2015027778.tif 000010
【図９】
2015027778.tif 000011